(57)【要約】【課題】  再生装置と表示装置とを接続して再生を行う場合に、プログレッシブ表示方式またはインターレース表示方式のいずれで表示されているかを容易に識別する。【解決手段】  プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを識別するための表示識別用記録媒体であって、奇数フィールドもしくは偶数フィールドのいずれかで、水平方向の線を表示するためのデータが記録された、ことを特徴とする。【選択図】  図１
2005318275.tif 000002
【特許請求の範囲】
【請求項１】
プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを識別するための表示識別用記録媒体であって、
奇数フィールドもしくは偶数フィールドのいずれかで、水平方向の線を表示するためのデータが記録された、
ことを特徴とする表示識別用記録媒体。
【請求項２】
プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを識別するための表示識別用記録媒体であって、
奇数フィールドもしくは偶数フィールドのいずれかで、（フィールド内で複数本の隣接する水平走査線により構成された）水平方向の線を表示するための第一データと、
奇数フィールドおよび偶数フィールドの相互のフィールドで隣接する複数本の水平走査線により構成された水平方向の線を、前記第一データ近傍の位置で表示するための第二データと、
が記録されたことを特徴とする表示識別用記録媒体。
【請求項３】
前記第一データと前記第二データとは、同一水平位置に表示されるよう構成されている、
ことを特徴とする請求項２記載の表示識別用記録媒体。
【請求項４】
前記第一データと前記第二データとは、同一水平位置であって、互いに接して表示されるよう構成されている、
ことを特徴とする請求項２記載の表示識別用記録媒体。
【請求項５】
前記第一データと前記第二データとを一組として、複数組が表示されるよう構成されている、
ことを特徴とする請求項３または請求項４記載の表示識別用記録媒体。
【請求項６】
前記第一データと前記第二データとは、同一垂直位置に表示されるよう構成されている、
ことを特徴とする請求項２記載の表示識別用記録媒体。
【請求項７】
前記第一データと前記第二データとは、同一垂直位置であって、互いに接して表示されるよう構成されている、
ことを特徴とする請求項２記載の表示識別用記録媒体。
【請求項８】
前記第一データと前記第二データとを一組として、複数組が表示されるよう構成されている、
ことを特徴とする請求項５または請求項６記載の表示識別用記録媒体。
【発明の詳細な説明】
【技術分野】
【０００１】
本発明は表示識別用記録媒体に関し、特に、プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを識別するための表示識別用記録媒体に関する。
【背景技術】
【０００２】
近年、飛び越し走査方式であるインターレース表示方式のみならず、順次走査方式であるプログレッシブ表示方式で再生や表示が可能な装置が各種販売されるようになってきている。
【０００３】
プログレッシブ表示方式およびインターレース表示方式で再生可能な記録媒体再生装置として、ＣＤ−Ｖプレーヤ、ＤＶＤプレーヤ（ＤＶＤレコーダ）、Ｄ−ＶＨＳビデオデッキなど各種の再生装置が存在している。
【０００４】
また、プログレッシブ表示方式およびインターレース表示方式で表示可能な表示装置として、液晶表示部、プラズマ表示部、ＣＲＴ表示部などを備えた各種のテレビ受像器やディスプレイが存在している。
【０００５】
ここで、プログレッシブ表示方式およびインターレース表示方式で再生可能な記録媒体再生装置と、プログレッシブ表示方式およびインターレース表示方式で表示可能な表示装置とを接続して再生を行う場合には、接続ケーブルあるいは接続端子の種類によって、インターレース表示方式のみ（切り換え不要）、インターレース表示方式とプログレッシブ表示方式との自動切り換え、インターレース表示方式とプログレッシブ表示方式とを手動切り換え、の３通りが存在している。
【０００６】
従って、以上の手動切り換えの場合には、記録媒体再生装置の表示方式切り換え、あるいは、表示装置の表示方式切り換えによって、インターレース表示方式とプログレッシブ表示方式とのいずれにも設定が可能である。
【０００７】
このような場合にインターレース表示方式とプログレッシブ表示方式とを識別するには、以下の特許文献１記載のような専用の識別回路、あるいは、周波数カウンタなどが必要になる。
【特許文献１】特開２００１−１０３５２１号公報（第１頁、図１）
【発明の開示】
【発明が解決しようとする課題】
【０００８】
ところで、記録媒体再生装置と表示装置とを以上の複数の接続ケーブル（接続端子）で接続している場合には、表示装置の入力端子切り換えによって、インターレース表示方式とプログレッシブ表示方式とのいずれかに設定が変更されることがある。
【０００９】
このため、記録媒体再生装置と表示装置との両方がプログレッシブ表示方式に対応している場合であるにもかかわらず、以上の表示方式の手動切り換えや表示装置の入力端子切り換えに起因して、ユーザが気づかないうちにインターレース表示方式で表示されていることがありうる。
【００１０】
そして、このようにして、プログレッシブ表示方式で表示が可能であるにもかかわらずインターレース表示方式で表示されている場合に、その時点でどちらの表示方式で表示されているかを明確に識別する手法は、上述した特許文献１記載の識別装置や周波数カウンタを用いる以外には、簡便な手法は存在していなかった。
【００１１】
なお、接続ケーブルを流れている映像信号の水平走査信号の水平走査周波数を周波数カウンタなどで計測すれば、表示方式を明確に識別することは理論的には可能であるが、記録媒体再生装置と表示装置とが使用状態にある状況下では実用的でない。
【００１２】
本発明は、プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを容易に識別できるようにする表示識別用記録媒体を実現することを目的とする。
【課題を解決するための手段】
【００１３】
上述した不具合を解決する手段としての本発明は、以下の（１）〜（８）に述べるようなものである。
（１）請求項１記載の発明は、プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを識別するための表示識別用記録媒体であって、奇数フィールドもしくは偶数フィールドのいずれかで、水平方向の線を表示するためのデータが記録された、ことを特徴とする表示識別用記録媒体である。
【００１４】
この発明では、奇数フィールド／偶数フィールドのいずれかで水平方向の線を表示するためのデータが表示識別用記録媒体に記録されており、このデータが記録媒体再生装置においてインターレース表示方式で再生された場合には表示装置側でちらつきを生じた状態で表示されるが、このデータが記録媒体再生装置においてプログレッシブ表示方式で再生された場合には表示装置側でちらつきを生じない状態で表示される。
【００１５】
（２）請求項２記載の発明は、プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを識別するための表示識別用記録媒体であって、奇数フィールドもしくは偶数フィールドのいずれかで、（フィールド内で複数本の隣接する水平走査線により構成された）水平方向の線を表示するための第一データと、奇数フィールドおよび偶数フィールドの相互のフィールドで隣接する複数本の水平走査線により構成された水平方向の線を、前記第一データ近傍の位置で表示するための第二データと、が記録されたことを特徴とする表示識別用記録媒体である。
【００１６】
この発明では、奇数フィールド／偶数フィールドのいずれかで水平方向の線を表示するための第一データと、奇数フィールドおよび偶数フィールドの相互のフィールドで隣接する複数本の水平走査線により構成された水平方向の線を前記第一データ近傍の位置で表示するための第二データとが表示識別用記録媒体に記録されており、これらのデータがインターレース表示方式で再生された場合には、第一データはちらつきを生じた状態で、第二データはちらつきを生じない状態で表示され、一方、これらのデータがプログレッシブ表示方式で再生された場合には、第一データと第二データの両方でちらつきを生じない状態で表示される。
【００１７】
（３）請求項３記載の発明は、前記第一データと前記第二データとは、同一水平位置に表示されるよう構成されている、ことを特徴とする請求項２記載の表示識別用記録媒体である。
【００１８】
（４）請求項４記載の発明は、前記第一データと前記第二データとは、同一水平位置であって、互いに接して表示されるよう構成されている、ことを特徴とする請求項２記載の表示識別用記録媒体である。
【００１９】
（５）請求項５記載の発明は、前記第一データと前記第二データとを一組として、水平方向に複数組が表示されるよう構成されている、ことを特徴とする請求項３または請求項４記載の表示識別用記録媒体である。
【００２０】
（６）請求項６記載の発明は、前記第一データと前記第二データとは、同一垂直位置に表示されるよう構成されている、ことを特徴とする請求項２記載の表示識別用記録媒体である。
【００２１】
（７）請求項７記載の発明は、前記第一データと前記第二データとは、同一垂直位置であって、互いに接して表示されるよう構成されている、ことを特徴とする請求項２記載の表示識別用記録媒体である。
【００２２】
（８）請求項８記載の発明は、前記第一データと前記第二データとを一組として、垂直方向に複数組が表示されるよう構成されている、ことを特徴とする請求項５または請求項６記載の表示識別用記録媒体である。
【発明の効果】
【００２３】
本発明によると以下のような効果が得られる。
（１）第１の発明では、プログレッシブ表示方式およびインターレース表示方式で再生可能な記録媒体再生装置と、プログレッシブ表示方式およびインターレース表示方式で表示可能な表示装置とを接続して再生を行う場合に、奇数フィールド／偶数フィールドのいずれかで水平方向の線を表示するためのデータが表示識別用記録媒体に記録されているため、このデータがインターレース表示方式で再生された場合にはちらつきを生じた状態で表示されるが、このデータがプログレッシブ表示方式で再生された場合にはちらつきを生じない状態で表示される。
【００２４】
この結果、水平方向の線を表示するためのデータの再生時の見え方の違いにより、プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを容易に識別できるようになる。
【００２５】
（２）第２の発明では、プログレッシブ表示方式およびインターレース表示方式で再生可能な記録媒体再生装置と、プログレッシブ表示方式およびインターレース表示方式で表示可能な表示装置とを接続して再生を行う場合に、奇数フィールド／偶数フィールドのいずれかで水平方向の線を表示するための第一データと、奇数フィールドおよび偶数フィールドの相互のフィールドで隣接する複数本の水平走査線により構成された水平方向の線を前記第一データ近傍の位置で表示するための第二データとが表示識別用記録媒体に記録されているため、これらのデータがインターレース表示方式で再生された場合には、第一データはちらつきを生じた状態で、第二データはちらつきを生じない状態で表示され、一方、これらのデータがプログレッシブ表示方式で再生された場合には、第一データと第二データの両方でちらつきを生じない状態で表示される。
【００２６】
この結果、水平方向の線を表示するための第一データと第二データとの再生時の見え方の違いにより、プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを容易に識別できるようになる。
【００２７】
（３）第３の発明では、奇数フィールド／偶数フィールドのいずれかで水平方向の線を表示するための第一データと、奇数フィールドおよび偶数フィールドの相互のフィールドで隣接する複数本の水平走査線により構成された水平方向の線を前記第一データ近傍の位置で表示するための第二データとが、同一水平位置に表示される。
【００２８】
この結果、水平方向の線を表示するための第一データと第二データとが水平方向に並んだ状態での再生時の見え方の違いにより、プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを容易に識別できるようになる。
【００２９】
（４）第４の発明では、奇数フィールド／偶数フィールドのいずれかで水平方向の線を表示するための第一データと、奇数フィールドおよび偶数フィールドの相互のフィールドで隣接する複数本の水平走査線により構成された水平方向の線を前記第一データ近傍の位置で表示するための第二データとが、同一水平位置であって、互いに接して表示される。
【００３０】
この結果、水平方向の線を表示するための第一データと第二データとが水平方向に隣接した状態での再生時の見え方の違いにより、プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを容易に識別できるようになる。
【００３１】
（５）第５の発明では、奇数フィールド／偶数フィールドのいずれかで水平方向の線を表示するための第一データと、奇数フィールドおよび偶数フィールドの相互のフィールドで隣接する複数本の水平走査線により構成された水平方向の線を前記第一データ近傍の位置で表示するための第二データとを一組として、水平方向に複数組が表示される。
【００３２】
この結果、水平方向の線を表示するための第一データと第二データとを一組として、複数組が水平方向に並んだ状態での再生時の見え方の違いにより、プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを容易に識別できるようになる。
【００３３】
（６）第６の発明では、奇数フィールド／偶数フィールドのいずれかで水平方向の線を表示するための第一データと、奇数フィールドおよび偶数フィールドの相互のフィールドで隣接する複数本の水平走査線により構成された水平方向の線を前記第一データ近傍の位置で表示するための第二データとは、同一垂直位置に表示される。
【００３４】
この結果、水平方向の線を表示するための第一データと第二データとが垂直方向に並んだ状態での再生時の見え方の違いにより、プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを容易に識別できるようになる。
【００３５】
（７）第７の発明では、奇数フィールド／偶数フィールドのいずれかで水平方向の線を表示するための第一データと、奇数フィールドおよび偶数フィールドの相互のフィールドで隣接する複数本の水平走査線により構成された水平方向の線を前記第一データ近傍の位置で表示するための第二データとは、同一垂直位置であって、互いに接して表示される。
【００３６】
この結果、水平方向の線を表示するための第一データと第二データとが垂直方向に隣接した状態での再生時の見え方の違いにより、プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを容易に識別できるようになる。
【００３７】
（８）第８の発明では、奇数フィールド／偶数フィールドのいずれかで水平方向の線を表示するための第一データと、奇数フィールドおよび偶数フィールドの相互のフィールドで隣接する複数本の水平走査線により構成された水平方向の線を前記第一データ近傍の位置で表示するための第二データとを一組として、垂直方向に複数組が表示される。
【００３８】
この結果、水平方向の線を表示するための第一データと第二データとを一組として、垂直方向に複数組が並んだ状態での再生時の見え方の違いにより、プログレッシブ表示方式およびインターレース表示方式で再生可能な記録媒体再生装置と、プログレッシブ表示方式およびインターレース表示方式で表示可能な表示装置とを接続して再生を行う場合に、プログレッシブ表示方式またはインターレース表示方式のいずれで表示されているかを容易に識別できるようになる。
【発明を実施するための最良の形態】
【００３９】
以下に、図面を参照して本発明の実施形態を詳細に説明する。図２は本実施形態の表示識別用記録媒体を再生および表示する再生・表示システムの構成具体例を示す説明図である。
【００４０】
図２において、１は本実施形態の特徴部分である表示識別用記録媒体である。なお、本実施形態では、読み出し専用型の表示識別用記録媒体の例を示すが、これに限定されるものではなく、消去や書き換えが可能な表示識別用記録媒体であっても本実施形態を適用することが可能である。
【００４１】
１０は表示識別用記録媒体１をプログレッシブ表示方式およびインターレース表示方式で再生可能な再生装置であり、ＣＤ−Ｖプレーヤ、ＤＶＤプレーヤ（ＤＶＤレコーダ）、Ｄ−ＶＨＳビデオデッキなど各種の再生装置が該当する。なお、この再生装置１０は、表示識別用記録媒体１を再生した映像信号を、コンポジットビデオ信号、コンポーネント（Ｙ／Ｃｒ／Ｃｂ）ビデオ信号、Ｄ端子を介した制御信号を伴ったコンポーネントビデオ信号で出力することが可能である。また、再生装置１０の設定により、インターレース表示方式とプログレッシブ表示方式とを切り換えることが可能であるとする。
【００４２】
２０は再生装置１０と表示装置３０とを接続して各種映像信号を伝送する接続ケーブルであり、２１はコンポジットビデオ信号を伝送するラインケーブル、２２はコンポーネント（Ｙ／Ｃｒ／Ｃｂ）ビデオ信号を伝送するコンポーネントビデオケーブル、２３はＤ端子を介して制御信号と共にコンポーネントビデオ信号を伝送するＤ端子ケーブルである。ここで、ラインケーブル２１ではインターレース表示方式の映像信号が伝送され、コンポーネントビデオケーブル２２ではインターレース表示方式とプログレッシブ表示方式の映像信号のいずれか選択された信号が伝送され、Ｄ端子ケーブル２３ではインターレース表示方式とプログレッシブ表示方式の映像信号のいずれか自動的に切り換えられて伝送される。
【００４３】
３０はプログレッシブ表示方式およびインターレース表示方式で表示可能な表示装置であり、液晶表示部、プラズマ表示部、ＣＲＴ表示部などを備えた各種のテレビ受像器やディスプレイである。ただし、インターレース表示の信号を強制的にプログレッシブ表示に変換する機能を内蔵したテレビ受像器やディスプレイは除く。
【００４４】
なお、この表示装置３０は、再生装置１０で表示識別用記録媒体１を再生した映像信号を、上述した各種接続ケーブル２０を介して、コンポジットビデオ信号、コンポーネント（Ｙ／Ｃｒ／Ｃｂ）ビデオ信号、Ｄ端子を介した制御信号を伴ったコンポーネントビデオ信号で入力することが可能である。なお、これら各種接続ケーブルで接続されている場合に、表示装置３０の設定（入力切り換え）により、いずれかの接続ケーブルからの映像信号を選択することが可能であるとする。
【００４５】
図１は本実施形態の特徴部分である表示識別用記録媒体１に記録されているデータおよびその表示の様子を模式的に示した説明図である。ここでは、ＮＴＳＣ方式の５２５ｉのインターレース表示方式、および、５２５ｐのプログレッシブ表示方式を具体例にしている。
【００４６】
本実施形態では、奇数フィールド／偶数フィールドのいずれかで水平方向の線を表示するためのデータが表示識別用記録媒体１に記録されている。
なお、図１（ａ）に示すように、奇数フィールドで水平方向の線（白地に黒の短線）を表示するためのデータが表示識別用記録媒体１に記録されているものを具体例にする。また、図１（ｂ）に示すように、偶数フィールドでは水平方向の線を表示するためのデータが表示識別用記録媒体１に記録されていない（白地のみ）。
【００４７】
このため、再生装置１０で表示識別用記録媒体１に記録されている図１（ａ）（ｂ）のデータが再生された場合、再生装置１０側の設定あるいは表示装置３０側の入力切り換えにより、インターレース表示方式で再生された場合には、ちらつきを生じた状態で表示される。すなわち、図１（ａ）の奇数フィールドのデータ（２６２．５走査線）と図１（ｂ）の偶数フィールドのデータ（２６２．５走査線）とが飛び越し走査により交互に表示されるため、図１（ｃ）波線で示すように、図１（ａ）の水平方向のデータ（白地における黒の短線）がちらつきを有した状態で表示される。
【００４８】
一方、再生装置１０で表示識別用記録媒体１に記録されている図１（ａ）（ｂ）のデータが再生された場合、再生装置１０側の設定あるいは表示装置３０側の入力切り換えにより、プログレッシブ表示方式で再生された場合には、水平方向のデータ（白地における黒の短線）ちらつきを生じない状態で表示される。すなわち、図１（ａ）の奇数フィールドのデータ（２６２．５走査線）と図１（ｂ）の偶数フィールドのデータ（２６２．５走査線）とからフレームデータ（５２５走査線）が生成されて順次走査によって１フレーム分ずつ表示されるため、図１（ｄ）実線で示すように、図１（ａ）の水平方向のデータがちらつきを有しない状態で表示される。
【００４９】
この結果、水平方向の線を表示するためのデータの再生時の見え方の違いにより、プログレッシブ表示方式およびインターレース表示方式で再生可能な再生装置１０と、プログレッシブ表示方式およびインターレース表示方式で再生可能な表示装置３０とを接続して再生を行う場合に、プログレッシブ表示方式またはインターレース表示方式のいずれで表示されているかを容易に識別できるようになる。
【００５０】
なお、以上のような表示を行う場合、表示装置３０の表示画面のサイズや精細度の違いにより、ちらつきの有無を識別するのに適した水平方向の短線の太さや長さが異なることが予想される。そこで、図３に示すように、短線の太さ（隣接する走査線本数）や長さを変えた複数種類の短線を表示するためのデータを、表示識別用記録媒体１に記録しておくことが望ましい。
【００５１】
また、以上のような表示を行う場合、表示装置３０の表示画面のサイズや精細度や画面各部の歪みの違いにより、ちらつきの有無を識別するのに適した位置が異なることが予想される。そこで、図３に示すように、同じような短線を複数の異なる位置で表示するためのデータを、表示識別用記録媒体１に記録しておくことが望ましい。
【００５２】
このようにすることで、いずれかの位置でちらつきが視認されればインターレース表示方式であると識別でき、いずれの位置でもちらつきが視認されなければプログレッシブ表示方式であると識別できる。
【００５３】
また、別な表示として、図１（ｅ）〜（ｈ）のようにすることも可能である。すなわち図１（ｅ）に示すように、奇数フィールドで水平方向の線（白地に黒の短線）を表示するための第一データ（ｅ１）と第二データ（ｅ２）とが表示識別用記録媒体１に記録されている。そして、図１（ｆ）に示すように、偶数フィールドでは水平方向の線（白地における黒の短線）を表示するための第二データ（ｆ２）のみが表示識別用記録媒体１に記録されている。
【００５４】
言い換えると、奇数フィールド／偶数フィールドのいずれかのフィールドで水平方向の線を表示するための第一データと、奇数フィールドおよび偶数フィールドで水平方向の線を前記第一データ近傍の位置で表示するための第二データと、が表示識別用記録媒体１に記録されている。
【００５５】
このため、再生装置１０で表示識別用記録媒体１に記録されている図１（ｅ）（ｆ）のデータが再生された場合、再生装置１０側の設定あるいは表示装置３０側の入力切り換えにより、インターレース表示方式で再生された場合には、第一データではちらつきを生じた状態で、第二データではちらつきを生じない状態で表示される。
【００５６】
すなわち、図１（ｅ）の奇数フィールドのデータ（２６２．５走査線）と図１（ｆ）の偶数フィールドのデータ（２６２．５走査線）とが飛び越し走査により交互に表示されるため、図１（ｇ）波線で示すように、第一データに関しては図１（ｅ）の水平方向のデータ（白地における黒の短線：ｅ１）がちらつきを有した状態で表示され、第二データに関しては図１（ｅ）の水平方向のデータ（白地における黒の短線：ｅ２）と図１（ｆ）の水平方向のデータ（白地における黒の短線：ｆ２）とがちらつきを有しない状態で表示される。この結果、第一データの表示と第二データの表示との間に差異が生じた状態で表示されることになる。
【００５７】
一方、再生装置１０で表示識別用記録媒体１に記録されている図１（ｅ）（ｆ）のデータが再生された場合、再生装置１０側の設定あるいは表示装置３０側の入力切り換えにより、プログレッシブ表示方式で再生された場合には、第一データも第二データもちらつきを生じない状態で表示される。
【００５８】
すなわち、図１（ｅ）の奇数フィールドのデータ（２６２．５走査線）と図１（ｆ）の偶数フィールドのデータ（２６２．５走査線）とからフレームデータ（５２５走査線）が生成されて順次走査によって１フレーム分ずつ表示されるため、図１（ｇ）実線で示すように、図１（ｅ）（ｆ）の水平方向のデータがちらつきを有しない状態で表示される。この結果、第一データの表示と第二データの表示との間に差異が生じない状態で表示されることになる。
【００５９】
この結果、水平方向の線を表示するための第一データと第二データとの再生時の見え方の違い、あるいは、第一データのちらつきの有無により、プログレッシブ表示方式およびインターレース表示方式で再生可能な再生装置１０と、プログレッシブ表示方式およびインターレース表示方式で再生可能な表示装置３０とを接続して再生を行う場合に、プログレッシブ表示方式またはインターレース表示方式のいずれで表示されているかを容易に識別できるようになる。
【００６０】
さらに、以上の第一データによる短線と第二データによる短線とが、同一水平位置に表示されることも、識別を容易にする観点から望ましい。すなわち、図４に示すように、水平方向の線を表示するための第一データの短線と第二データの短線とが水平方向に並んだ状態での再生時の見え方の違いにより、比較がしやすくなり、プログレッシブ表示方式およびインターレース表示方式で再生可能な記録媒体再生装置と、プログレッシブ表示方式およびインターレース表示方式で再生可能な表示装置とを接続して再生を行う場合に、プログレッシブ表示方式またはインターレース表示方式のいずれで表示されているかを容易に識別できるようになる。なお、同一水平位置であって離れた位置でもよいが、隣接していると、見え方の違いがさらに明確になって望ましい。
【００６１】
また、以上の図４のような表示を行う場合も、表示装置３０の表示画面のサイズや精細度の違いにより、ちらつきの有無を識別するのに適した水平方向の短線の太さや長さが異なることが予想される。そこで、図３の場合と同様に、短線の太さ（隣接する走査線本数）や長さを変えた複数種類の短線を表示するためのデータを、表示識別用記録媒体１に記録しておくことが望ましい。
【００６２】
また、以上の図４のような表示を行う場合も、表示装置３０の表示画面のサイズや精細度や画面各部の歪みの違いにより、ちらつきの有無を識別するのに適した位置が異なることが予想される。そこで、図３の場合と同様に、同じような短線を複数の異なる位置で表示するためのデータを、表示識別用記録媒体１に記録しておくことが望ましい。
【００６３】
このようにすることで、いずれかの位置でちらつきあるいは第一／第二データの違いが視認されればインターレース表示方式であると識別でき、いずれの位置でもちらつきや第一／第二データの違いが視認されなければプログレッシブ表示方式であると識別できる。
【００６４】
さらに、以上の第一データによる短線と第二データによる短線とが、同一垂直位置に表示されることも、識別を容易にする観点から望ましい。すなわち、図５に示すように、水平方向の線を表示するための第一データの短線と第二データの短線とが垂直方向に並んだ状態での再生時の見え方の違いにより、比較がしやすくなり、プログレッシブ表示方式およびインターレース表示方式で再生可能な記録媒体再生装置と、プログレッシブ表示方式およびインターレース表示方式で再生可能な表示装置とを接続して再生を行う場合に、プログレッシブ表示方式またはインターレース表示方式のいずれで表示されているかを容易に識別できるようになる。なお、第一データと第二データとの水平方向の短線が、同一垂直位置であって離れた位置でもよいが、隣接していると、見え方の違いがさらに明確になって望ましい。
【００６５】
また、以上の図５のような表示を行う場合も、表示装置３０の表示画面のサイズや精細度の違いにより、ちらつきの有無を識別するのに適した水平方向の短線の太さや長さが異なることが予想される。そこで、図３の場合と同様に、短線の太さ（隣接する走査線本数）や長さを変えた複数種類の短線を表示するためのデータを、表示識別用記録媒体１に記録しておくことが望ましい。
【００６６】
また、以上の図５のような表示を行う場合も、表示装置３０の表示画面のサイズや精細度や画面各部の歪みの違いにより、ちらつきの有無を識別するのに適した位置が異なることが予想される。そこで、図３の場合と同様に、同じような短線を複数の異なる位置で表示するためのデータを、表示識別用記録媒体１に記録しておくことが望ましい。
【００６７】
このようにすることで、いずれかの位置でちらつきあるいは第一／第二データの違いが視認されればインターレース表示方式であると識別でき、いずれの位置でもちらつきや第一／第二データの違いが視認されなければプログレッシブ表示方式であると識別できる。
【００６８】
なお、以上の説明では、白地に黒の短線を表示してちらつきを判別することを具体例にしたが、これに限定されるものではない。すなわち、黒字に白の短線を表示してちらつきを判別するものであってもよい。
【００６９】
また、以上の説明では、ＮＴＳＣビデオ信号の場合を具体例にして説明したが、ＰＡＬやＳＥＣＡＭ等各種の方式のビデオ信号に対して本実施形態を適用して良好な効果を得ることが可能である。
【００７０】
なお、本実施形態を適用出来る表示識別用記録媒体としては、ＤＶＤディスクなどの記録媒体が該当し、読み出し専用型、書き換え型、追記型を問わないものとする。また、Ｄ−ＶＨＳ方式のビデオテープや、半導体メモリや、ハードディスク装置などであってもよいものとする。
【図面の簡単な説明】
【００７１】
【図１】本発明の実施形態である表示識別用記録媒体に記録されたデータの様子と表示の様子とを示す説明図である。
【図２】本発明の実施形態である表示識別用記録媒体を作成するシステムの構成を示すブロック図である。
【図３】本発明の実施形態である表示識別用記録媒体に記録されたデータの様子と表示の様子とを示す説明図である。
【図４】本発明の実施形態である表示識別用記録媒体に記録されたデータの様子と表示の様子とを示す説明図である。
【図５】本発明の実施形態である表示識別用記録媒体に記録されたデータの様子と表示の様子とを示す説明図である。
【符号の説明】
【００７２】
１  表示識別用記録媒体
１０  再生装置
２０  接続ケーブル
３０  表示装置
【図１】
2005318275.tif 000003
【図２】
2005318275.tif 000004
【図３】
2005318275.tif 000005
【図４】
2005318275.tif 000006
【図５】
2005318275.tif 000007